(57)【要約】【課題】  機器内部に比較的狭いスペースしかない場合でも、内部構造とワイヤとの干渉が起きないように取り付け可能で、特に複数の可動体をまとめてロック可能なロック装置と、このロック装置を備えた遊技場の島設備とを提供すること。【解決手段】  ロック装置１は、ケース３を任意の場所に配設し、チューブ５を任意に湾曲させて遊技機内部へ導入し、チューブ固定具９を遊技機本体側に固定し、ワイヤ固定具１１を遊技機の前枠に固定して使用される。前枠を閉じてワイヤ７をケース３内のリールに巻き取ってリールをロックすると、前枠が開放不能となる。リールのロックを解除した場合は、前枠を開放するとワイヤ７が前枠に引っ張られ、ワイヤ７がリールから繰り出される。２本あるワイヤ７を使って、１台のロック装置１で２台の遊技機の前枠をロックすることができる。【選択図】  図１
2005261583.tif 000002
【特許請求の範囲】
【請求項１】
可動体が第１の位置から第２の位置へ移動するのを阻止するロック状態、または、前記可動体が移動するのを許容するアンロック状態に切替可能なロック装置であって、
任意に湾曲させて配設可能なチューブと、
該チューブに通されており、一端が前記可動体に連結されるワイヤと、
該ワイヤの他端が連結されており、前記可動体が前記第２の位置から前記第１の位置へ移動するときには、順方向へ回転して前記ワイヤを巻き取る一方、前記可動体が前記第１の位置から前記第２の位置へ移動するときには、逆方向へ回転して前記ワイヤを繰り出すリールと、
前記リールとともに回転する爪車、および該爪車に引っかかる逆止部材からなり、前記リールを前記順方向へ回転させる力が作用した際には、前記爪車が前記逆止部材を押し退けて回転する一方、前記リールを前記逆方向へ回転させる力が作用した際には、前記逆止部材が前記爪車に係合して前記爪車の回転を阻止するように構成されているラチェット機構と、
前記爪車に引っかかる位置にある前記逆止部材を、通電時に、前記爪車に引っかからない位置へと変位させるアクチュエータとを備え、
前記チューブ、前記ワイヤ、前記リール、および前記ラチェット機構が、２組以上設けられるとともに、該２組以上の前記ラチェット機構に対応する単一の前記アクチュエータが設けられ、
前記２組以上の前記ラチェット機構に含まれる２以上の前記逆止部材は、前記アクチュエータの通電時にすべてが前記爪車に引っかからない位置へと変位する構造とされ、しかも、前記アクチュエータの非通電時には互いに独立に変位可能な構造とされている
ことを特徴とするロック装置。
【請求項２】
前記ワイヤの切断を検知する断線検知手段
を備えたことを特徴とする請求項１に記載のロック装置。
【請求項３】
請求項１または請求項２のいずれかに記載のロック装置を備えていることを特徴とする遊技場の島設備。
【発明の詳細な説明】
【技術分野】
【０００１】
本発明は、遊技機や両替機など、開閉可能な扉状の構造を備えている機器において、合鍵等を使った不正な開放操作を防止するために用いられるロック装置と、このロック装置を備えた遊技場の島設備に関する。
【背景技術】
【０００２】
従来から、パチンコ機に代表される弾球遊技機、あるいは回胴式遊技機（以下、これらを総称して単に遊技機という）において、遊技機の内部に配設されたＲＯＭや基板が、不正なものと交換されることが問題となっている。
【０００３】
例えば、遊技場の営業時間外に遊技場に忍び込んだ者が、遊技機の前枠を開いて正規なＲＯＭや基板を不正なＲＯＭや基板と交換し、これにより、いわゆる大当たりの発生確率を高くしたり、大当たりの連続発生回数を増大させたりするなどの不正改造が行われる。このような不正改造が行われた場合、そのことを承知で来店した不正な遊技者が特殊な操作等を行うと、通常の遊技では得られないような多量の賞球またはメダルを獲得することができてしまうため、遊技場は多大な金銭的被害を被ることになる。
【０００４】
このような問題に対処するための一手段として、下記特許文献１，２には、ワイヤを使って前枠の開放を阻止するように構成されたパチンコ機不正開放防止装置が開示されている。このような装置を用いれば、遊技場の営業時間外に遊技機の前枠を開放することができなくなるので、上記のような不正改造を防止できるものと期待された。
【特許文献１】特開平１０−０９４６５２号公報
【特許文献２】特開２００３−２９９８６１号公報
【発明の開示】
【発明が解決しようとする課題】
【０００５】
しかしながら、上記特許文献１，２に記載のパチンコ機不正開放防止装置には、以下のような問題があった。
遊技機の内部には、遊技に関わる様々な機器や配線等が存在しているので、新たな機器を配設できるような余分なスペースはほとんど残されていない。そのため、上記従来の不正開放防止装置の場合、リール等の構造物を備えた本体部分が大型化しすぎると、遊技機への取り付けが困難になるという欠点があり、その一方、本体部分を小型化し過ぎると、リール等の構造物の強度が不足してしまうため、強引に前枠の開放が行われた場合に、リール等の構造物の破壊を伴って前枠が開放されてしまうおそれがあった。
【０００６】
また、上記従来の不正開放防止装置において、前枠の開閉時にワイヤが通ることになるスペースに何らかの機器が存在すると、その機器にワイヤの中途部分が接触して、その機器とワイヤとが擦れ合い、機器の故障やワイヤの断線を招くおそれがあるため、こうした事態を避けることができる位置に本体部分を設置しようとすると、本体部分を設置可能な場所はさらに限定されてしまい、装置の取り付けがより一層困難になるという問題があった。
【０００７】
さらに、こうした遊技機内部の機器とワイヤとの干渉を避けるには、不正開放防止装置の本体部分をできるだけ前枠寄りの場所に設置し、本体部分と前枠との間に余計な機器が存在しないようにするという方法を考え得るが、この場合、本体部分を遊技場の島設備側に固定するようなことはできず、本体部分は遊技機内部に固定されることになる。そのため、遊技機の入れ替えを行う際には、不正開放防止装置の本体部分を遊技機から取り外さなければならず、遊技場でしばしば行われる新台入替の際に多大な手間がかかるという欠点もあった。また、遊技機は、規則によって改造が禁じられているため、何らかの電気機器を遊技機内部に増設するだけで規則違反と見なされる場合もあり、不正開放防止装置の本体部分を遊技機内部に増設することが認められないこともあった。
【０００８】
加えて、上記従来の不正開放防止装置は、各遊技機に一対一で取り付ける必要があったため、多数の遊技機が設置された遊技場において、すべての遊技機に上記従来の不正開放防止装置を取り付けようとすると、多大な導入費用がかかるという問題もあった。
【０００９】
なお、遊技場においては、遊技機以外でも同種の問題が発生しており、例えば、両替機・玉貸機・メダル貸機などの機器が不正に開放されて、内部から金銭が盗まれるなどの被害が発生している。これらの機器は、例えば、上部にメンテナンス用の扉状構造、下部に金銭回収用の扉状構造を備えるなど、複数の扉状構造を備えているものも多いが、これらの扉状構造すべてに上記従来の不正開放防止装置を取り付けようとすると、これも多大な導入費用がかかるという問題を招いてしまう。
【００１０】
本発明は、上記のような諸問題を解決するためになされたものであり、その目的は、機器内部に比較的狭いスペースしかない場合でも、内部構造とワイヤとの干渉が起きないように適切に取り付け可能で、特に複数の可動体をまとめてロック可能なロック装置と、このロック装置を備えた遊技場の島設備とを提供することにある。
【課題を解決するための手段】
【００１１】
上記目的を達成するため、本発明においては、次のような特徴的構成を採用した。
すなわち、本発明のロック装置は、
可動体が第１の位置から第２の位置へ移動するのを阻止するロック状態、または、前記可動体が移動するのを許容するアンロック状態に切替可能なロック装置であって、
任意に湾曲させて配設可能なチューブと、
該チューブに通されており、一端が前記可動体に連結されるワイヤと、
該ワイヤの他端が連結されており、前記可動体が前記第２の位置から前記第１の位置へ移動するときには、順方向へ回転して前記ワイヤを巻き取る一方、前記可動体が前記第１の位置から前記第２の位置へ移動するときには、逆方向へ回転して前記ワイヤを繰り出すリールと、
前記リールとともに回転する爪車、および該爪車に引っかかる逆止部材からなり、前記リールを前記順方向へ回転させる力が作用した際には、前記爪車が前記逆止部材を押し退けて回転する一方、前記リールを前記逆方向へ回転させる力が作用した際には、前記逆止部材が前記爪車に係合して前記爪車の回転を阻止するように構成されているラチェット機構と、
前記爪車に引っかかる位置にある前記逆止部材を、通電時に、前記爪車に引っかからない位置へと変位させるアクチュエータとを備え、
前記チューブ、前記ワイヤ、前記リール、および前記ラチェット機構が、２組以上設けられるとともに、該２組以上の前記ラチェット機構に対応する単一の前記アクチュエータが設けられ、
前記２組以上の前記ラチェット機構に含まれる２以上の前記逆止部材は、前記アクチュエータの通電時にすべてが前記爪車に引っかからない位置へと変位する構造とされ、しかも、前記アクチュエータの非通電時には互いに独立に変位可能な構造とされている
ことを特徴とする。
【００１２】
このロック装置において、チューブは、任意に湾曲させることができる程度の柔軟性は有するものの、軸方向へは伸縮せず、湾曲させても内腔がつぶれない程度の強度を有するものである。また、内部にワイヤが通されて、ワイヤが軸方向に摺動するため、内面の摩擦抵抗が小さいものほど望ましい。
【００１３】
ワイヤは、悪意を持って切断されるようなことが無い限り、通常の運用では切れない程度の強度を有し、且つ、リールに巻き取ることができる程度の柔軟性を有する線状体であり、例えば、金属製のワイヤなどが好適であるが、上記のような条件を満足するものであれば、金属以外の材料（例えば、アラミド樹脂等の樹脂材料）で形成されたワイヤであってもよいし、微視的な構造については限定されず、例えば、細線を撚り合わせたような構造になっていても、鎖のような構造になっているものでもよい。
【００１４】
リールは、少なくともワイヤを巻き取るときの回転方向（本発明でいう順方向）へは能動的に回転してワイヤを巻き取ることができるものであり、また、ワイヤを繰り出すときの回転方向（本発明でいう逆方向）へはワイヤが引っ張り出されるのに伴って受動的に回転するか、必要があればいくらか能動的に回転するかして、ワイヤを繰り出すことができるものである。能動的に回転する構造としては、例えば、引っ張り出されるワイヤに従動してリールが回転すると締まるゼンマイを設けて、ゼンマイの力でリールが能動的に回転してワイヤを巻き取るような構造を採用すればよい。また、モーターなどの動力源を設けて、その動力源からの力でリールを回転駆動するような構造を採用しても構わない。
【００１５】
ラチェット機構は、爪車を一方向にのみ回転させる周知の機構で、リールを順方向へ回転させる力が作用した際には、爪車が逆止部材を押し退けて回転する一方、リールを逆方向へ回転させる力が作用した際には、逆止部材が爪車に係合して爪車の回転を阻止する。逆止部材は、爪車によって押し退けられる可動部材であるが、軽く爪車側に付勢されていて、この付勢力によって爪車に引っかかる位置へ変位する構造になっている。なお、逆止部材を爪車側へと付勢する手法については特に限定されず、例えば、バネなどを設けることで逆止部材を爪車側へ付勢することができるが、この他、爪車と逆止部材とが特定の位置関係にある場合は、逆止部材に作用する重力を利用して逆止部材を爪車側へ付勢することも可能である。
【００１６】
アクチュエータは、爪車に引っかかる位置にある前記逆止部材を、通電時に、爪車に引っかからない位置へと変位させる手段である。
これらの構成のうち、チューブ、ワイヤ、リール、およびラチェット機構は、２組以上が設けられ、２組以上のラチェット機構に対応する単一のアクチュエータが設けられる。そして、２組以上のラチェット機構に含まれる２以上の逆止部材は、アクチュエータの通電時にすべてが爪車に引っかかる位置へと変位する構造とされ、しかも、アクチュエータの非通電時には互いに独立に変位可能な構造とされる。
【００１７】
以上のように構成されたロック装置は、チューブの先端を可動体（例えば、遊技機の前枠）とともに移動しない箇所（例えば、遊技機本体）に固定し、その先端から引き出されるワイヤを可動体（例えば、前枠）に連結して使用される。
【００１８】
この状態において、可動体（例えば、遊技機の前枠）を第２の位置（例えば、遊技機の前枠を開いた位置）から第１の位置（例えば、遊技機の前枠を閉じた位置）に移動させると、リールが正方向に回転してワイヤを巻き取る。このとき、ラチェット機構は、リールが正方向に回転するのを妨げず、且つ、リールの逆回転を阻止する状態にあるので、リールがワイヤを可能な限り巻き取った後は、ワイヤがリールから繰り出されなくなり、可動体は第１の位置から移動不能な状態となる。すなわち、ロック装置は、可動体が第１の位置から第２の位置へ移動するのを阻止するロック状態になる。
【００１９】
一方、アクチュエータに通電すると、アクチュエータは、逆止部材を爪車に引っかからない位置へと変位させる。ラチェット機構はリールの逆回転を阻止しない状態になるので、ワイヤがリールから繰り出されるようになり、可動体（例えば、遊技機の前枠）は第１の位置（例えば、遊技機の前枠を閉じた位置）から第２の位置（例えば、遊技機の前枠を開いた位置）へ移動できるようになる。すなわち、ロック装置は、可動体が移動するのを許容するアンロック状態になる。
【００２０】
したがって、このロック装置を、例えば遊技機に取り付けた場合であれば、遊技機の前枠を不正に開放する操作を防止することができる。また、例えば両替機・玉貸機・メダル貸機などの機器に取り付けた場合であれば、これらの機器が不正に開放されて、内部から金銭が盗まれるなどの被害が発生するのを防止することができる。
【００２１】
また、このロック装置は、上記特許文献１，２記載のものとは異なり、配設する際には、チューブの先端を前枠の開放に伴って移動しない箇所（例えば、遊技機本体）に固定すればよく、リール等の構造物は任意の位置に配設することができる。すなわち、チューブを任意に湾曲させることができるので、チューブの先端を固定しても、リール等の構造物とチューブの先端との相対的な位置関係は自由に変えることができる上に、チューブによってワイヤの動作する経路が規制されているので、ワイヤが曲がりくねった経路に配置されてもワイヤに張力をかけることができ、チューブの先端さえ適切な位置に配設すれば、リール等の構造物をどこに配設しようとも、ワイヤに張力がかからなくなってワイヤがたるんだり、ワイヤが他の機器に接触したりすることはないのである。
【００２２】
したがって、機器（例えば遊技機）の内部に十分なスペースがない場合でも、チューブの先端を固定できる僅かなスペースがあれば、リール等の構造物は機器外部の任意の場所（例えば、島設備上）に配設し、チューブの先端側だけを機器内部に導入して、ロック装置を取り付けることができる。あるいは、機器内部にあるスペースと可動体（例えば遊技機の前枠）との位置関係がよくない場合でも、そのスペースにリール等の構造物を配置し、可動体との位置関係が良好な部分にチューブの先端が来るようにチューブを引き回し、ロック装置を適切に取り付けることができる。
【００２３】
また、機器内部に配置される箇所をチューブの先端を含む一部分だけとすることができ、リール等の構造物を含む本体部分は任意の場所（例えば、島設備上）に配設できるので、例えば、遊技機の入れ替えを行う際に、ロック装置の本体部分を遊技機から取り外す手間がかからず、新台入替の際に要する労力を軽減できる。また、遊技機内部に配設される部分をチューブやワイヤなどの非電気部品からなる部分だけとすることができ、電気部品を含む部分を遊技機外に配設することができるので、規則違反となる遊技機の改造に該当すると見なされる可能性は低いと考えられる。
【００２４】
さらに、このロック装置において、上述のチューブ、ワイヤ、リール、およびラチェット機構は、２組以上が設けられているので、各組のワイヤをそれぞれ別々の可動体に連結することにより、それら複数の可動体の動きを規制することができる。しかも、２組以上のラチェット機構に対応する単一のアクチュエータが設けられているので、可動体に対して一対一でロック装置を設けなければならない従来品に比べ、導入コストを低減することができる。
【００２５】
また、２組以上のラチェット機構に含まれる２以上の逆止部材は、アクチュエータの通電時にすべてが爪車に引っかからない位置へと変位する構造とされているので、例えば、このロック装置で、複数の遊技機の前枠の動きを規制した場合であれば、ロック装置をアンロック状態とすることにより、複数の前枠を一斉に開放できるので便利である。しかも、上記２以上の逆止部材は、アクチュエータの非通電時には互いに独立に変位可能な構造とされているため、アクチュエータへの通電時にすべての逆止部材が一斉に作動する構造とされているにもかかわらず、１つのリールが正方向へ回転する際には、そのリールとともに回転する１つの爪車によって逆止部材が押し退けられたとしても、これに追従して他の逆止部材まで作動してしまうことがない。すなわち、１つのリールが正回転する際にもすべての逆止部材が一斉に作動する構造とされていると、正回転していないリールに対応するラチェット機構においても逆止部材が爪車との係合を解除する方向へ作動することになるため、確実にロック状態を維持することが困難になるが、本発明のロック装置の場合は、正回転していないリールに対応するラチェット機構において逆止部材が爪車との係合を解除する方向へ作動することはないので、確実にロック状態を維持し、安全性を高めることができる。
【００２６】
つまり、アンロック状態としたときに複数の可動体すべての動きを一斉に許容できるようにすることだけを考えれば、２以上の逆止部材が常に一体に移動するようになっていてもよいのであるが、このロック装置においては、あえて２以上の逆止部材が独立に移動可能な構造を採用することで、アンロック状態とするときに逆止部材が一斉に作動することによる利便性と、ロック状態としたときに逆止部材が独立に作動することによる安全性とを両立させているのである。
【００２７】
なお、以上説明したロック装置は、前記ワイヤの切断を検知する断線検知手段を備えていてもよい。
断線検知手段は、ワイヤの切断を検知することができるものであれば、その具体的な構造は任意である。一例としては、例えば、前記断線検知手段が、第１の位置または第２の位置へ移動する移動体と、該移動体を前記第２の位置へ移動させるように付勢する付勢部材と、前記移動体が前記第１の位置から前記第２の位置へ移動するのに伴ってオン／オフが切り替わるスイッチとを備えてなり、前記ワイヤが切断されていない状態では、前記リールが順方向へ回転するのに伴って前記ワイヤに張力がかかり、該ワイヤが前記付勢部材の付勢力に抗して前記移動体を前記第１の位置に移動させる一方、前記ワイヤが切断された状態になると、前記ワイヤに張力がかからなくなり、前記移動体が前記付勢部材の付勢力によって前記第２の位置に移動するように構成されているとよい。また、ワイヤの切断に伴ってワイヤが大きくたるむことが確実であれば、たるんだワイヤそのものがリミットスイッチを作動させるような構造としてもよい。ただし、ワイヤのたるみがどの程度発生するか定かでない場合には、前述の如き移動体と付勢部材とを用いて、付勢部材の力で移動する移動する移動体をワイヤに当接させてワイヤを強制的にたるませ、移動体が移動したことをもって、ワイヤのたるみ（切断）が発生したことを検知する方が望ましい。また、この他、断線検知手段は、ワイヤ自体が微弱な電流の流れる電気回路の一部を構成していて、このワイヤが切断されて上記微弱な電流が流れなくなった場合に、ワイヤの切断が発生したと判定するような構成でもよい。
【００２８】
以上のように構成されたロック装置によれば、ワイヤが切断された場合には、そのことを断線検知手段が検知するので、この検知結果に基づいて、不正な改造が行われた疑いのある遊技機の稼働を停止させたり、係員が内部の点検を行うなどの対処を、直ちに実施することができる。
【００２９】
なお、断線検知手段による検知結果をどのように扱うかは任意であるが、一例としては、検知結果を遊技場の係員に通知するという方法が考えられる。
検知結果を遊技場の係員に通知するための具体的な手段は任意であり、例えば、遊技機毎に警告灯を設けておいて、ワイヤの切断を検知した場合には、検知対象となった遊技機に対応する警告灯を点灯させる、といったものでよい。また、遊技島単位など複数の遊技機に対応する１つの警告灯を設けておいて、警告灯が点灯した場合は、それら複数の遊技機すべてを点検対象とするようにしてもよい。
【００３０】
また、単なる警告灯に代えて、７セグメントＬＥＤなどの数値表示器を設けるとともに、遊技機に事前に番号を割り当てておいて、ワイヤの切断を検知した場合には、検知対象となった遊技機に割り当てられた番号を数値表示器に表示するようにしてもよい。
【００３１】
これらの警告灯や数値表示器は、ワイヤの切断を報知するための専用品でなくてもよく、例えば、多くの遊技場において遊技機毎に設けられている公知の呼出ランプが別の目的で備えている発光手段や数値表示手段を、ワイヤの切断報知用として兼用してもよいし、遊技場内の各種装置を統合管理するホールコンピュータのディスプレイに、ワイヤの切断に関する情報を表示するようにしてもよい。
【００３２】
また、上記の具体例は、警告灯や番号表示など、いずれも視覚に訴える通知手段ばかりであるが、検知結果を知らせるための具体的な手段は、警報音などの聴覚に訴える通知手段や、係員の所持するバイブレータを振動させるなど触覚に訴える通知手段であってもよく、これらいくつかの通知手段を併用してもよい。
【００３３】
さらに、断線検知手段による検知結果は、単に係員に対して通知されるだけでもよいが、このような係員に対する通知以外の対処も考えることができ、例えば、断線検知手段による検知結果に基づいて、検知対象となった遊技機の電源や制御装置を制御することにより、その遊技機の稼働を強制的に停止させるようにしてもよい。このような対処は、単独で採用することもできるし、上述の係員に対する通知と併用することもできる。
【００３４】
つまり、本発明において、断線検知手段がワイヤの切断を検知した後の対処方法は、係員への通知や遊技機の稼働停止など、様々な具体的対処方法を考えることができるが、いずれの方法で対処するにしても、ワイヤの切断を検知できなかった従来品とは異なり、直ちに何らかの対処を行うことができるのである。
【００３５】
さらに、以上説明したロック装置は、一つの独立した装置として構成し、後付で遊技機や島設備に付加するように構成してあってもよいが、初めから島設備の一部として組み込まれていてもよい。
【００３６】
すなわち、上述の如きロック装置を備えている遊技場の島設備として提供することも可能である。
この場合、島設備からは上述のチューブが延びている状態になっていて、遊技機を島設備に設置する際には、チューブの先端が遊技機の前枠との位置関係を考慮して適切な位置に固定される。遊技場においては、遊技機の入れ替えをしばしば行うが、この場合でも、遊技機本体からチューブの先端を取り外し、前枠からワイヤの先端を取り外すだけで、リール等の構造物はいちいち取り外すことなく、遊技機の入れ替えを行って、新しい遊技機にロック装置を取り付け直すことができる。
【００３７】
なお、ロック装置を島設備とは別の独立した装置として構成した場合でも、リール等の構造物を島設備に対して固定すれば、遊技機の入れ替えを行った際に、新しい遊技機にロック装置を取り付け直す手間を省くことができる。
【発明の効果】
【００３８】
以上説明した通り、本発明によれば、機器内部に比較的狭いスペースしかない場合でも、内部構造とワイヤとの干渉が起きないように適切に取り付け可能で、特に複数の可動体をまとめてロック可能なロック装置を提供することができる。また、このロック装置を備えた遊技場の島設備を提供することができる。
【発明を実施するための最良の形態】
【００３９】
次に、本発明の実施形態について、具体的な一例を挙げて説明する。
図１は、ロック装置１の外観を表す正面図である。このロック装置１は、図１に示すように、ケース３、チューブ５、ワイヤ７、チューブ固定具９、およびワイヤ固定具１１を備えている。これらのうち、チューブ５、ワイヤ７、チューブ固定具９、およびワイヤ固定具１１については、同一構造のものが２組設けられている。
【００４０】
図２は、ロック装置１の内部構造を平面視した概略構造図である。ケース３の内部は、図２に示すように、２つの隔壁１３，１５によって仕切られ、第１室１７、第２室１８、および第３室１９が形成されている。
【００４１】
図３（ａ）〜同図（ｃ）は、ロック装置１の内部構造を正面視した概略構造図で、図３（ａ）は第１室１７の内部構造、図３（ｂ）は第２室１８の内部構造、図３（ｃ）は第３室１９の内部構造を示している。
【００４２】
第１室１７には、図３（ａ）に示すように、順逆両方向に回転可能なリール２１と、リール２１の中央部に組み込まれたゼンマイ２３と、リール２１に固定されてリール２１とともに回転する爪車２５と、軸２７ａを中心に回動可能な逆止部材２７と、逆止部材２７の爪２７ｂとケース３に突設された突起２８との間に架け渡された引張バネ２９と、往復移動するのに伴って逆止部材２７を回動させるピン３１と、往復移動可能に設けられ、圧縮バネ３３をケース３側との間に挟み込んだ状態にある断線検出用スライダー３５と、断線検出用スライダー３５が当接するか否かに応じてオン／オフが切り替わる断線検出用リミットスイッチ３７が組み込まれている。
【００４３】
リール２１は、軸３９を中心に回転可能で、外周部にワイヤ７の一端が連結されていて、順方向（図３（ａ）中の矢印Ａ１方向）へ回転した際に、ワイヤ７を巻き取ることにより、ワイヤ７を図３（ａ）中の矢印Ｂ１方向へ引っ張る一方、ワイヤ７が図３（ａ）中の矢印Ｂ２方向へ引っ張られた際には、逆方向（図３（ａ）中の矢印Ａ２方向）へ回転することにより、巻き取っていたワイヤ７を繰り出すようになっている。
【００４４】
ゼンマイ２３は、内側にある一端が軸３９に固定されるとともに、外側にある一端がリール２１に固定され、いくらか締まる方向へ変形した状態で組み込まれることにより、常にリール２１を順方向に回転させるように付勢している。ワイヤ７が図３（ａ）中の矢印Ｂ２方向へ引っ張られた際には、ゼンマイ２３の付勢力に逆らってリール２１が逆方向へ回転し、ゼンマイ２３がさらに締まるため、ワイヤ７を引っ張り出す方向への力をゆるめると、ゼンマイ２３の力でリール２１が順方向へ回転し、ワイヤ７がリール２１に巻き取られる。
【００４５】
爪車２５および逆止部材２７は、本発明でいうラチェット機構を構成するものであり、引張バネ２９によって逆止部材２７が爪車２５に引っかかる位置へと付勢され、逆止部材２７によって爪車２５の逆方向への回転が規制されるようになっている。
【００４６】
ピン３１は、隔壁１３に形成された長孔（図示略）を介して、第２室１８側から第１室１７側へと突出している部材である。このピン３１の動きについては、後から詳述する。
断線検出用スライダー３５は、ケース３に形成されたリブ（図示略）に規制されてスライド動作可能に保持されている。ワイヤ７が切断されていない状態においては、ワイヤ７に張力がかかっているため、断線検出用スライダー３５がワイヤ７に引っ張られて、図３（ａ）中の矢印Ｃ１方向に変位し、これに伴って圧縮バネ３３を圧縮する状態になっている。一方、ワイヤ７が切断された場合は、ワイヤ７に張力がかかっていない状態になるため、圧縮されていた圧縮バネ３３が伸張し、断線検出用スライダー３５は、図３（ａ）中の矢印Ｃ２方向に変位する。
【００４７】
断線検出用リミットスイッチ３７は、断線検出用スライダー３５が当接していないときはオフになり、断線検出用スライダー３５が当接しているときにはオンになるものである。断線検出用スライダー３５は、上述の通り、ワイヤ７が切断されたか否かに応じて二位置に移動するため、断線検出用リミットスイッチ３７がオンになったことをもって、ワイヤ７の断線が発生したことを検出することができる。
【００４８】
第２室１８には、図３（ｂ）に示すように、往復移動可能なアンロック用スライダー４３と、アンロック用スライダー４３を駆動するソレノイド４５とが組み込まれている。このソレノイド４５は、プランジャ４７および復帰バネ４９を備えている。また、第２室１８には、アンロック検出用リミットスイッチ５１も組み込まれている。
【００４９】
アンロック用スライダー４３は、ケース３に形成されたリブに規制されてスライド動作可能に保持されるとともに、プランジャ４７に連結されている。また、アンロック用スライダー４３には、上述のピン３１が突設されている。このピン３１は、図２に示すように、アンロック用スライダー４３の両側に突設されており、一方が隔壁１３に形成された長孔（図示略）を介して第１室１７側に突出するとともに、他方が隔壁１５に形成された長孔（図示略）を介して第３室１９側に突出している。
【００５０】
ソレノイド４５は、通電が停止されている場合、プランジャ４７を復帰バネ４９の力で一方向（図３（ｂ）中の矢印Ｄ１方向）へ移動させ、通電時には復帰バネ４９を圧縮する方向（図３（ｂ）中の矢印Ｄ２方向）へプランジャ４７を移動させる装置で、アンロック用スライダー４３は、プランジャ４７とともに移動する。
【００５１】
アンロック検出用リミットスイッチ５１は、アンロック用スライダー４３が当接していないときはオフになり、アンロック用スライダー４３が当接しているときにはオンになるものである。このアンロック検出用リミットスイッチ５１は、ソレノイド４５の励磁に伴ってアンロック用スライダー４３が所定位置までスライドしたかどうかを検出するもので、このアンロック検出用リミットスイッチ５１により、ソレノイド４５の故障またはアンロック用スライダー４３の動作不良などを検出し、必要な対処（例えば、ソレノイド４５への電圧印加停止、警告ランプの点灯制御など）を実施することができる。
【００５２】
さらに、第３室１９には、図３（ｃ）に示すように、第１室１７に組み込まれた機構と同等に作動する機構が組み込まれている。
なお、第１室１７に組み込まれた機構と第３室１９に組み込まれた機構とは、構成要素に差異がないので、同等な構成要素に対しては同じ符号を付すことにし、その詳細な説明については省略する。
【００５３】
以上のように構成されたロック装置１において、ソレノイド４５が非励磁状態の時、アンロック用スライダー４３は、図３（ｂ）中の矢印Ｄ１方向に変位した状態にあり、アンロック用スライダー４３に突設されたピン３１は、図３（ａ）〜同図（ｃ）中に示した位置にある。そのため、逆止部材２７は、引張バネ２９の力で、図３（ａ）および同図（ｃ）中に示した位置へと回動して、ピン３１に軽く当接した状態にあり、爪車２５の順方向への回転は阻止しないものの、爪車２５の逆方向への回転は阻止する状態になっている。すなわち、爪車２５と逆止部材２７は、周知のラチェット機構を構成しており、一方向への回転のみが許容されているのである。なお、以下の説明では、この状態をロック状態という。
【００５４】
一方、ソレノイド４５が励磁状態の時、ソレノイド４５のプランジャ４７は復帰バネ４９の付勢力に抗して矢印Ｄ２方向に変位する（図４（ｂ）参照）。このとき、アンロック用スライダー４３も、図４（ｂ）に示した位置まで移動し、アンロック用スライダー４３に突設されたピン３１も、図３（ａ）〜同図（ｃ）に示した位置に移動する。そのため、逆止部材２７は、ピン３１の力で、図３（ａ）および同図（ｃ）中に示した位置へと回動して、爪車２５の回転をまったく阻止しない状態になる。なお、以下の説明では、この状態をアンロック状態という。
【００５５】
このように、ロック装置１は、ロック状態になると、リール２１の順方向への回転は許容し、常にリール２１を順方向に回転させようとするゼンマイ２３と協働して、常にワイヤ７を巻き取る方向へ引っ張っている。この構造により、ワイヤ７には常に張力が与えられることになり、ワイヤ７をたるまないようにすることができる。また、アンロック状態になると、リール２１の逆方向への回転も許容し、ワイヤ７を任意に引き出せるようにすことができる。
【００５６】
さて、以上のように構成されたロック装置１は、例えば、遊技機本体の正面側に開閉可能な前枠を備えている遊技機に対して装着されるが、このとき、１台のロック装置１で２台の遊技機の前枠をロックすることができる。具体的には、まず、ケース３は島設備上などの任意の場所に固定し、２組あるチューブ５をそれぞれ所望の形状に湾曲させて、一方を第１の遊技機の内部へ導入、他方を第２の遊技機の内部へ導入する。そして、各遊技機毎にチューブ固定具９とワイヤ固定具１１との適切な位置関係を考慮しつつ、チューブ固定具９が遊技機本体側にねじ止め固定され、ワイヤ固定具１１が遊技機の前枠にねじ止め固定される。このとき、各チューブ５は、極端に折り曲げるようなことさえしなければ、自由に湾曲させることができ、また、チューブ５の長さが許容する範囲内であれば、ケース３の取付位置も自由に設定することができる。
【００５７】
つまり、上記特許文献１，２記載の不正開放防止装置の場合は、装置本体から直接ワイヤが引っ張り出される構成になっていたため、前枠に対するワイヤの連結位置と本体のワイヤが繰り出される開口との位置関係を、適切な位置関係とするように本体の配設位置を最適化しなければならなかったのに対し、このロック装置１の場合は、前枠に対するワイヤの連結位置（本実施形態においては、ワイヤ固定具１１の取付位置。）とチューブ５のワイヤ７が繰り出される開口（本実施形態においては、チューブ固定具９の取付位置。）との位置関係さえ、適切な位置関係とすれば、ケース３の取付位置については特に限定されないのである。ケース３はリール２１等の構造物を組み込む都合上、どうしてもチューブ５やチューブ固定具９よりもかさ高い構造になるが、このロック装置１の場合は、ケース３を島設備上など遊技機外部に配設しておいて、遊技機の内部には、細長くてかさ張らず引き回しも容易なチューブ５を配設すればよく、狭い遊技機内であっても何ら問題なく配設することができるのである。
【００５８】
こうしてロック装置１を遊技機に対応づけて取り付けた状態において、前枠を閉めた場合は、ゼンマイ２３の力でリール２１が正方向に回転し、ワイヤ７のゆるみがなくなるまでワイヤ７がリール２１に巻き取られる。また、ワイヤ７がリール２１に巻き取られた状態において、爪車２５に逆止部材２７が引っかかって爪車２５の逆方向への回転が阻止されるため、ワイヤ７を引っ張り出すことはできなくなり、これにより、遊技機の前枠を開放することができなくなる。
【００５９】
一方、外部からの指令（例えば、遊技場係員が所持するリモコンからの信号）を受けて、ロック装置１にアンロック信号が与えられ、ソレノイド４５が励磁されると、爪車２５に逆止部材２７が引っかからなくなって爪車２５の逆方向への回転が阻止されなくなるため、ワイヤ７を引っ張り出すことができるようになり、これにより、遊技機の前枠を開放することができるようになる。
【００６０】
さらに、前枠を閉めた場合は、上述の通り、遊技機の前枠を大きく開放することができなくなるのであるが、例えば、前枠に対して無理矢理大きな力を加えるようなことをすると、ワイヤ７がいくらか伸びたりすることがある。また、ロック装置１の部品間の遊びに起因するガタがあるので、ロック状態でもワイヤ７を完全に繰り出されないようにすることは難しい。そのため、これらの蓄積により、前枠がごく僅かだけ開く方向へ動くことがある。そして、このようにして前枠が僅かに開くと、ヤスリやナイフを隙間から差し込んでワイヤ７を切断することができるようになる場合がある。
【００６１】
しかし、上記ロック装置１において、ワイヤ７を切断すると、ワイヤ７がリール２１に巻き取られるとともに、ワイヤ７に張力がかからない状態になり、それに伴って、常時はオフ状態になっている断線検出用リミットスイッチ３７がオン状態になるため、例えば、断線検出用リミットスイッチ３７がオン状態になったら点灯する警告ランプを併設することにより、遊技場の係員がワイヤ７の切断を容易に察知することができる。したがって、ワイヤ７の切断を察知した時点で、直ちに遊技機の点検を行うことができるようになり、必要があれば、遊技機の稼働停止や不正部品の交換などの必要な処置を施したりすることができるようになる。
【００６２】
さらに、このロック装置１において、上述のチューブ５、ワイヤ７、リール２１、およびラチェット機構（爪車２５および逆止部材２７）は、１つのロック装置１に２組設けられているので、各組のワイヤ７をそれぞれ別々の遊技機の前枠に連結することにより、それら複数の前枠の動きを規制することができる。しかも、２組以上のラチェット機構に対応する単一のアクチュエータ（アンロック用スライダー４３およびソレノイド４５）が設けられているので、遊技機の前枠に対して一対一でロック装置を設けなければならない従来品に比べ、導入コストを低減することができる。
【００６３】
また、１つのロック装置１が備える２組のラチェット機構に含まれる２つの逆止部材２７は、ソレノイド４５の通電時にすべてが爪車２５に引っかからない位置へと変位する構造とされているので、このロック装置１で、複数の遊技機の前枠の動きを規制した場合、ロック装置１をアンロック状態とすることにより、複数の前枠を一斉に開放できるので便利である。しかも、上記２つの逆止部材２７は、ソレノイド４５の非通電時には互いに独立に変位可能な構造とされているため、ソレノイド４５への通電時にすべての逆止部材２７が一斉に作動する構造とされているにもかかわらず、１つのリール２１が正方向へ回転する際には、そのリール２１とともに回転する１つの爪車２５によって一方の（例えば、第１室１７にある）逆止部材２７が押し退けられたとしても、これに追従して他方の（例えば、第３室１９にある）逆止部材２７まで作動してしまうことがない。すなわち、１つのリール２１が正回転する際にもすべての逆止部材２７が一斉に作動する構造とされていると、正回転していないリール２１に対応するラチェット機構においても逆止部材２７が爪車２５との係合を解除する方向へ作動することになるため、確実にロック状態を維持することが困難になるが、上記ロック装置１の場合は、正回転していないリール２１に対応するラチェット機構において逆止部材２７が爪車２５との係合を解除する方向へ作動することはないので、確実にロック状態を維持し、安全性を高めることができる。
【００６４】
つまり、アンロック状態としたときに複数の前枠すべての動きを一斉に許容できるようにすることだけを考えれば、２つの逆止部材２７が常に一体に移動するようになっていてもよいのであるが、このロック装置１においては、あえて２つの逆止部材２７が独立に移動可能な構造を採用することで、アンロック状態とするときに逆止部材２７が一斉に作動することによる利便性と、ロック状態としたときに逆止部材２７が独立に作動することによる安全性とを両立させているのである。
【００６５】
以上、本発明の一実施形態について説明したが、本発明は上記一実施形態に限らず、上記とは別の種々の形態で実施することができる。
例えば、上記実施形態において、ロック装置１は、遊技場の島設備および遊技機とは別体の装置として構成され、後から島設備に取り付ける旨の説明を行ったが、あらかじめ島設備の一部としてロック装置が組み込まれていてもよい。この場合、上記ケース３は島設備の構成部品から独立した部品である必要はなく、例えば、島設備の一部を構成する部材に対して、直接リール等の構造物が組み付けられていてもよい。
【００６６】
また、上記実施形態では、断線検出用リミットスイッチ３７によってワイヤ７の断線を検知するように構成してあったが、これ以外の手法でワイヤの断線を検知してもよい。具体例を挙げれば、例えば、ワイヤを導電性の材料で形成した場合、ワイヤの両端間の通電状態に基づいて、ワイヤの断線を検知することができる。
【００６７】
また、上記実施形態では、ゼンマイ２３の力でワイヤ７を巻き取るように構成してあったが、モーターでリールを駆動してワイヤを巻き取るように構成してもよい。
また、上記実施形態では、１つのロック装置１で、２つの可動体の動きを規制できるようになっていたが、さらに並列にチューブ５、ワイヤ７、リール２１、およびラチェット機構（爪車２５および逆止部材２７）を設けることにより、１つのロック装置で３以上の可動体の動きを規制できるようにすることもできる。
【００６８】
加えて、上記実施形態では、遊技機の前枠の動きを規制する例を示したが、遊技機の前枠以外の可動体を対象にして、その動き（開閉動作）を規制することもできる。例えば、両替機・玉貸機・メダル貸機などの機器も、前面に扉状構造を備えているので、これらの機器に上記ロック装置１を取り付けるとよい。これらの機器は、例えば、上部にメンテナンス用の扉状構造、下部に金銭回収用の扉状構造を備えるなど、２つの扉状構造を備えているものも多いが、このような２つの扉状構造を備える機器であっても、上記ロック装置１であれば１台で両方の扉状構造をロックすることができる。
【００６９】
なお、上記実施形態では、遊技機の前枠の動きを規制するため、ワイヤ７を遊技機の前枠に連結する例を示したが、遊技機の前枠を開放する際には、通常、前枠と遊技機本体側に係留するためのフックが動かされるので、このフックにワイヤ７を連結してフックの動きをロックすることにより、遊技機の前枠を開放できないようにしてもよい。
【図面の簡単な説明】
【００７０】
【図１】ロック装置の外観を示す正面図である。
【図２】ロック装置の内部構造を平面視した概略構造図である。
【図３】ロック装置の内部構造（ロック状態）を正面視した概略構造図である。
【図４】ロック装置の内部構造（アンロック状態）を正面視した概略構造図である。
【符号の説明】
【００７１】
１・・・ロック装置、３・・・ケース、５・・・チューブ、７・・・ワイヤ、９・・・チューブ固定具、１１・・・ワイヤ固定具、１３，１５・・・隔壁、１７・・・第１室、１８・・・第２室、１９・・・第３室、２１・・・リール、２３・・・ゼンマイ、２５・・・爪車、２７・・・逆止部材、２８・・・突起、２９・・・引張バネ、３１・・・ピン、３３・・・圧縮バネ、３５・・・断線検出用スライダー、３７・・・断線検出用リミットスイッチ、４３・・・アンロック用スライダー、４５・・・ソレノイド、４７・・・プランジャ、４９・・・復帰バネ、５１・・・アンロック検出用リミットスイッチ。
【図１】
2005261583.tif 000003
【図２】
2005261583.tif 000004
【図３】
2005261583.tif 000005
【図４】
2005261583.tif 000006